(57)【要約】【課題】画像形成装置に着脱可能な部品に取り付けられたメモリタグに、簡単な構成で、ばね材による電気的接続ができるようにすることである。【解決手段】画像形成装置の装置本体部と着脱可能なプロセスカートリッジにおいて、感光体ドラム３０は回転軸４０の周りに回転し、メモリタグ５０は、この回転するフランジ４４に取り付けられる。メモリタグ５０は、メモリＩＣを備え、メモリＩＣと接続して略半球状のタグ側接点部６０が設けられる。装置本体部には、先端部７４が折れ曲がるばね材からなる本体側接点部７０が設けられ、その先端部はフランジ４４と近接している。感光体ドラム３０が回転すると、タグ側接点部６０の略半球状の盛り上がりに、本体側接点部７０の先端部７４が乗り上げつつ面接触し、メモリＩＣと本体側接点部７０との間が導通する。【選択図】図２
2006058598.tif 000002
【特許請求の範囲】
【請求項１】
画像形成装置本体に着脱可能でかつ回転軸周りに回転する部品に設けられるメモリタグであって、
前記部品の回転する部分に取り付けられるタグ枠体と、
前記タグ枠体に載置され、前記プロセスカートリッジに関する情報を記憶するメモリと、
前記メモリと接続して前記タグ枠体の表面に配置され、前記画像形成装置本体側に設けられる本体側接点部と接触して前記メモリと前記画像形成装置本体側との間を導通し、略半球状外形又は円弧の一部を含む断面形状の外形を有するタグ側接点部と、
を備えることを特徴とするメモリタグ。
【請求項２】
画像形成装置本体に着脱可能なプロセスカートリッジに設けられるメモリタグであって、
前記プロセスカートリッジの回転する部分に取り付けられるタグ枠体と、
前記タグ枠体に載置され、前記プロセスカートリッジに関する情報を記憶するメモリと、
前記メモリと接続して前記タグ枠体の表面に配置され、前記画像形成装置本体側に設けられる本体側接点部と接触して前記メモリと前記画像形成装置本体側との間を導通し、略半球状外形又は円弧の一部を含む断面形状の外形を有するタグ側接点部と、
を備えることを特徴とするメモリタグ。
【請求項３】
画像形成装置本体に着脱可能なプロセスカートリッジであって、
前記画像形成装置本体側と交信可能なメモリタグを有し、
前記メモリタグは、
前記プロセスカートリッジの回転する部分に取り付けられるタグ枠体と、
前記タグ枠体に載置され、前記プロセスカートリッジ及び前記画像形成装置本体に関する情報を記憶するメモリと、
前記メモリと接続して前記タグ枠体の表面に配置され、前記画像形成装置本体側に設けられる本体側接点部と接触して前記メモリと前記画像形成装置本体側との間を導通し、略半球状外形又は円弧の一部を含む断面形状の外形を有するタグ側接点部と、
を備えることを特徴とするプロセスカートリッジ。
【請求項４】
画像形成装置本体との間でプロセスカートリッジが着脱可能な画像形成装置であって、
前記プロセスカートリッジに設けられるメモリタグと、
前記画像形成装置本体側に設けられ、前記メモリタグと接触する本体側接点部と、
を有し、
前記メモリタグは、
前記プロセスカートリッジの回転する部分に取り付けられるタグ枠体と、
前記タグ枠体に載置され、前記プロセスカートリッジ及び前記画像形成装置本体に関する情報を記憶するメモリと、
前記メモリと接続して前記タグ枠体の表面に配置され、前記画像形成装置本体側に設けられる本体側接点部と接触して前記メモリと前記画像形成装置本体側との間を導通し、略半球状外形又は円弧の一部を含む断面形状の外形を有するタグ側接点部と、
を備えることを特徴とする画像形成装置。
【発明の詳細な説明】
【技術分野】
【０００１】
本発明は、メモリタグ、プロセスカートリッジ及び画像形成装置に係り、特に、接点の接触を用いて画像形成装置本体側と電気的に接続されるメモリタグと、そのメモリタグを備えるプロセスカートリッジと、そのプロセスカートリッジを着脱可能に装着する画像形成装置に関する。
【背景技術】
【０００２】
電子写真画像形成プロセスを用いる複写機等の電子写真画像形成装置においては、一様に帯電させた感光体ドラムと呼ばれる電子写真感光体に選択的な露光をして静電潜像を形成し、この静電潜像をトナーで顕像化するとともに、このトナー像を記録媒体に転写して画像記録を行う。このような装置にあっては長期間使用すると電子写真感光体が削れること等の消耗が起こる。この交換を容易にするため、電子写真感光体をカートリッジ化し、あるいはその周辺の帯電装置、現像装置、クリーニング装置等も含めてプロセスカートリッジとすることが行われる。
【０００３】
これらのカートリッジが消耗され、やがて交換時期になると消費者等により取外され、新しい電子写真感光体のカートリッジに交換される。このように交換可能な消耗部品には、その消耗部品の履歴等をトレースするために、画像形成装置と交信可能なメモリモジュールが取り付けられることがある。例えば、このメモリモジュールに、その電子写真感光体の仕様等を記憶させておけば、カートリッジの交換の際に、複写機の仕様に合うものかどうかが判別でき、複写機の性能を保証できる。また、交換後に回収・リサイクルを行うときも、その電子写真感光体カートリッジの仕様等が読み出せるので、正しく回収・リサイクルを行うことができる。また、消費者の使用状況を記憶するようにすれば、それを読み出すことで故障解析等を容易に行うことができ、また消費者の消費動向等のデータを収集できるので、サービス向上に役立てることができる。
【０００４】
このようなメモリモジュールとしては、基板に書き換え可能な不揮発性メモリを配置したもの、あるいはこれらを樹脂封止したもの、さらにプラスチックケースに収めたもの等を用いることができる。これらは、例えば１５〜３０ｍｍ角で、厚さが数ｍｍ程度と小型のタグ状にすることができ、メモリタグ等と呼ばれることがある。
【０００５】
カートリッジに搭載されたメモリタグと、画像形成装置本体とを電気的に接続するための手段としては、コネクタやばね材による接点を用いて接続する接触式のもの、発行素子・受光素子を用いて光通信を行うものやアンテナを用いて無線通信を行うもの等の非接触式のものがある。ばね材による電気的接点部を用いる接触式の電気接続手段は、一般的に構成が簡単でコストが低いと考えられている。
【０００６】
例えば、特許文献１には、プロセスカートリッジに取り付けられるメモリタグと、メモリタグの接点部と接触する本体側のコネクタの組み合わせが開示される。ここでは、プロセスカートリッジの感光体ドラムを覆う筐体であるドラム枠体の上部面に装着部を設け、そこにメモリタグが取り付けられる。メモリタグは、中央に記憶素子を、その両側にそれぞれ接点部を、そのさらに外側の両側にそれぞれ本体側のコネクタを突き当てるための突き当て部を、プリント基板上に配置した札状部材である。ここで、接点部は、プリント基板の銅箔面にＮｉめっきを施し、さらに金めっきを行った積層膜である。本体側のコネクタは、弾性部材であるりん青銅等の金属ばね材料からなる電気接点を有し、この電気接点は、基部がコネクタに固設され、先端部は折曲されている。
【０００７】
つまり、特許文献１においては、メモリタグの積層膜の接点部と、本体側コネクタの先端が折曲する弾性板ばね材の電気接点とは、接触により、弾性板ばね材の先端で、積層膜の接点部の表面を０．５〜２ｍｍ程度変位してワイピングし、導通を確保するようにしている。このワイピングを安定して行うために、コネクタの突き当てをメモリタグの最外側両端の突き当て部を用いて行い、コネクタの電気接点は、メモリタグの両接点部のそれぞれ２つずつ設けられる。
【０００８】
また、特許文献２には、特許文献１と同様なメモリタグを用い、本体側コネクタをメモリタグにスムーズに接触させるために、コネクタの移動のための案内となる突き出しリブを設けることが開示される。
【０００９】
【特許文献１】特開２００３−３３０３３５号公報
【特許文献２】特開２００４−３７８７６号公報
【発明の開示】
【発明が解決しようとする課題】
【００１０】
ばね材による電気的接点部を用いる接触式の電気接続手段は、一般的に構成が簡単でコストが低いと考えられているが、特許文献１、２における構成は複雑で、高価なものとなっている。すなわち、メモリタグは、記憶素子の配置スペースの他に、２つの接点部のスペースと、２つの突き当て部のスペースを要し、寸法が大きくなる。また、本体部のコネクタも、２つの電気接点と、２つの突き当て部を必要とし、複雑な構成とともに大型となる。
【００１１】
また、特許文献１、２においては、メモリタグの接点部をワイピングしてその後固定接触を取るので、メモリタグは、プロセスカートリッジの固定位置に設ける必要がある。したがって、例えば回転軸周りに回転する位置にはメモリタグを配置できない等、メモリタグの配置場所に制約がある。
【００１２】
本発明の目的は、簡単な構成で、ばね材による電気的接続を可能とするメモリタグ、そのメモリタグと、そのメモリタグを備えるプロセスカートリッジと、そのプロセスカートリッジを着脱可能に装着する画像形成装置とを提供することである。特に、本発明の目的は、回転軸周りに回転する部品に、簡単な構成で、ばね材による電気的接続を可能として設けられるメモリタグと、そのメモリタグを備えるプロセスカートリッジと、そのプロセスカートリッジを着脱可能に装着する画像形成装置とを提供することである。
【課題を解決するための手段】
【００１３】
本発明に係るメモリタグは、画像形成装置本体に着脱可能でかつ回転軸周りに回転する部品に設けられるメモリタグであって、前記部品の回転する部分に取り付けられるタグ枠体と、前記タグ枠体に載置され、前記プロセスカートリッジに関する情報を記憶するメモリと、前記メモリと接続して前記タグ枠体の表面に配置され、前記画像形成装置本体側に設けられる本体側接点部と接触して前記メモリと前記画像形成装置本体側との間を導通し、略半球状外形又は円弧の一部を含む断面形状の外形を有するタグ側接点部と、を備えることを特徴とする。
【００１４】
また、本発明に係るメモリタグは、画像形成装置本体に着脱可能なプロセスカートリッジに設けられるメモリタグであって、前記プロセスカートリッジの回転する部分に取り付けられるタグ枠体と、前記タグ枠体に載置され、前記プロセスカートリッジに関する情報を記憶するメモリと、前記メモリと接続して前記タグ枠体の表面に配置され、前記画像形成装置本体側に設けられる本体側接点部と接触して前記メモリと前記画像形成装置本体側との間を導通し、略半球状外形又は円弧の一部を含む断面形状の外形を有するタグ側接点部と、を備えることを特徴とする。
【００１５】
また、本発明に係るプロセスカートリッジは、画像形成装置本体に着脱可能なプロセスカートリッジであって、前記画像形成装置本体側と交信可能なメモリタグを有し、前記メモリタグは、前記プロセスカートリッジの回転する部分に取り付けられるタグ枠体と、前記タグ枠体に載置され、前記プロセスカートリッジ及び前記画像形成装置本体に関する情報を記憶するメモリと、前記メモリと接続して前記タグ枠体の表面に配置され、前記画像形成装置本体側に設けられる本体側接点部と接触して前記メモリと前記画像形成装置本体側との間を導通し、略半球状外形又は円弧の一部を含む断面形状の外形を有するタグ側接点部と、を備えることを特徴とする。
【００１６】
また、本発明に係る画像形成装置は、画像形成装置本体との間でプロセスカートリッジが着脱可能な画像形成装置であって、前記プロセスカートリッジに設けられるメモリタグと、前記画像形成装置本体側に設けられ、前記メモリタグと接触する本体側接点部と、を有し、前記メモリタグは、前記プロセスカートリッジの回転する部分に取り付けられるタグ枠体と、前記タグ枠体に載置され、前記プロセスカートリッジ及び前記画像形成装置本体に関する情報を記憶するメモリと、前記メモリと接続して前記タグ枠体の表面に配置され、前記画像形成装置本体側に設けられる本体側接点部と接触して前記メモリと前記画像形成装置本体側との間を導通し、略半球状外形又は円弧の一部を含む断面形状の外形を有するタグ側接点部と、を備えることを特徴とする。
【発明の効果】
【００１７】
上記構成によれば、メモリタグは、タグ枠体に、メモリと、メモリに接続されるタグ側接点部が配置され、タグ側接点部は、略半球状外形又は円弧の一部を含む断面形状の外形を有する。したがって、本体側の接点部は、従来からよく用いられるばね材を用いても、タグ側接点部の盛り上がった略半球状外形又は円弧の一部を含む断面形状の外形に、倣ってスムーズに接触することができる。このときの接触は、本体側の接点部がばね材、例えば板ばね状としても、略半球状外形に面で接触することができ、従来例のように、回路基板上の導体層の上をワイピングするときの線接触に比べ、接触を安定して行うことができる。特に、部品の回転軸周りに回転する部分にメモリタグを設ける場合に、タグ側接点部の盛り上がった略半球状外形又は円弧の一部を含む断面形状の外形に、倣いながらスムーズに移動しつつ面接触することができる。
【００１８】
このように本発明に係るメモリタグと、プロセスカートリッジと、画像形成装置によれば、簡単な構成で、ばね材による電気的接続が可能となり、特に、回転軸周りに回転する部品に設けられるメモリタグについて、簡単な構成で、ばね材による電気的接続が可能となる。
【発明を実施するための最良の形態】
【００１９】
以下に図面を用いて本発明に係る実施の形態に付き詳細に説明する。以下において、本発明に係るメモリタグが取り付けられる部品として、複写機におけるプロセスカートリッジの中の感光体ドラムを取り上げるが、感光体ドラム単体に適用されるものとしてもよい。また、感光体ドラム以外であっても、回転軸周りに回転する部品であれば、その回転部品に保持具が取り付けられるものとすることができる。また、プロセスカートリッジは、感光体ドラムの他、帯電ローラ、現像手段、クリーニング手段を含むものとして説明するが、感光体ドラムを含んでいればよく、これらをすべて含まなくてもよい。また、これら以外の要素、例えば電源等を含んでもよい。
【００２０】
また、以下では、メモリモジュールとしてメモリタグを用いる場合について説明する。市場においてメモリタグと呼ばれるものは様々なものがあるが、以下においてメモリタグの語は、電気的に書き換え可能なメモリデバイスを含み、外部との交信により、メモリデバイスのデータを読み書きできるものを広くさすものとする。
【００２１】
図１は、電子写真複写機である画像形成装置１０の構成を示す図である。画像形成装置１０は、装置本体部１２と、これに着脱可能に設けられるプロセスカートリッジ２０を含む。プロセスカートリッジ２０は、感光体ドラム３０を含む電子写真の画像形成を行う主要要素をまとめてカートリッジ化したものである。装置本体部１２には、さらに、感光体ドラム３０に露光するための露光光学系１４、紙等の画像転写媒体を搬送する搬送系１６、未使用の紙等を収納するストッカー１８が備えられる。
【００２２】
プロセスカートリッジ２０は、装置本体部１２に交換可能に組み込まれるもので、カートリッジ筐体２２の内部に電子写真画像形成を行う各要素が収納される。カートリッジ筐体２２の一部には露光部２４が設けられ、内部には、感光層を有する感光体ドラム３０と、感光体ドラム３０の表面を帯電させる帯電ローラ３２と、露光部２４からの光像によって感光体ドラム３０上に形成される静電潜像を現像して可視像化したトナー像とする現像手段３４と、トナー像を転写ローラ等で記録媒体に転写した後感光体ドラム３０に残留するトナーを除去するクリーニング手段３６とが収納される。
【００２３】
プロセスカートリッジ２０に関する情報を記憶するメモリタグは、装置本体部１２と交信しやすいように、プロセスカートリッジ２０の外側に向いたところに設けられるのが好ましい。感光体ドラム３０は、帯電−露光−現像−転写−クリーニング等の電子写真画像形成工程を効率的に繰り返し行えるよう、回転軸の周りに回転する。メモリタグは、この感光体ドラム３０の回転する端面に設けられる。
【００２４】
図２は、回転軸４０の周りに回転する感光体ドラム３０を示す図である。感光体ドラム３０は、外径が例えば３０〜４０ｍｍのアルミニウム製のシリンダの上に有機感光体が塗布されたものである。シリンダの長手方向両端面にはポリアセタール等の潤滑性のよい樹脂でできたフランジ４２，４４がはめ込まれる。フランジ４２，４４の中心部には、図示されていないが金属製の軸が感光体ドラム３０の回転中心軸として貫通するための開口４６が設けられる。
【００２５】
メモリタグ５０は、この一方側のフランジ４４に取り付けられる。感光体ドラム３０は、帯電、現像等の過程で交流電圧が印加され、これによるノイズがメモリタグ５０の無線交信に影響を与えることがあるので、メモリタグ５０が取り付けられる側のフランジ４４は、帯電、現像等と接続される部位から遠い側のフランジであることが好ましい。
【００２６】
メモリタグ５０は、この回転軸４０回りに回転するフランジ４４に固定して取り付けられるので、メモリタグ５０もまた回転軸４０回りに回転する。メモリタグ５０は、装置本体部１２に固定されて設けられる本体側接点部７０と、接触により導通をとるが、その導通は、回転するメモリタグ５０がちょうど本体側接点部７０と向かい合い、そこで接触している間に行われる。
【００２７】
図３は、メモリタグ５０の平面図及び側面断面図である。メモリタグ５０は、概略矩形形状の電子部品搭載回路モジュールであり、タグ枠体５２の中にメモリＩＣ５４が配置される。タグ枠体５２は、メモリＩＣ５４が配置される回路基板５６を基体とし、回路基板５６の一方側にメモリＩＣ５４が搭載され、これを保護するために樹脂封止部５８が設けられる。タグ枠体５２のメモリＩＣ５４が配置される反対側には、略半球状のタグ側接点部６０が設けられる。タグ側接点部６０は、メモリＩＣ５４における装置本体部１２と交信するための端子と接続される。
【００２８】
メモリＩＣ５４は、電気的に書き換え可能で、不揮発性の記憶素子を含むＩＣチップで、適当な構造のＥＥＰＲＯＭ等を用いることができる。回路基板５６は、両面配線基板で、適当なガラスエポキシ基板等を用いることができる。メモリＩＣ５４とタグ側接点部６０の接続は、スルーホール配線等を用いて行うことができる。樹脂封止部５８は、枠を用いた樹脂ポッティングで形成することができる。あるいは、回路基板５６を含めて樹脂成形により樹脂ケース体のタグ枠体としてもよい。樹脂としては、例えば半導体素子用途のエポキシ樹脂等を用いることができる。寸法の一例を述べると、回路基板５６は厚みが約０．４ｍｍで、各辺が約１５〜３０ｍｍの矩形形状を有する。メモリＩＣ５４は、厚みが約０．９ｍｍで、その大きさは縦横ともそれぞれ数ｍｍ程度である。タグ枠体５２全体の厚みは、２〜３ｍｍ程度とすることができる。なお、これらの数値は、あくまで説明のための一例に過ぎず、これ以外のものであってもよい。
【００２９】
タグ側接点部６０は、装置本体部１２側に設けられる本体側接点部７０と接触してメモリＩＣ５４と装置本体部１２側に設けられる図示されていない制御部とを接続する機能を有する接点である。具体的には、金属等の導体からなる略半球状外形のものである。かかるタグ側接点部６０は、半田ボールや金ボール等の導体ボールを、回路基板５６上の接続端子にはんだ付け等で接続し、必要があれば適当な外形形状に整えることで得ることができる。なお、上記のように、回路基板上の接続端子は、メモリＩＣ５４の端子と、基板配線等で接続されている。タグ側接点部６０の大きさは、本体側接点部７０との接触の具合により適当に定めることができる。例えば、半径が３〜５ｍｍ程度の半球状とすることができる。もちろんこれと異なる大きさでもよい。より大きな形状とするときは、例えばコア部分をプラスチック等で形成し、表面に適当な厚みの導体層を塗布やめっき等で形成したものを用いてもよい。
【００３０】
略半球状の形状に代えて、滑らかな表面盛り上がり形状のタグ側接点部としてもよい。図４は、円弧形状の一部を含む断面形状のタグ側接点の例で、図４（ａ）は、円弧断面形状のタグ側接点部６２を示し、図４（ｂ）は、頂部が平坦で、斜面が円弧形状の一部で構成される外形のタグ側接点部６４を示す図である。かかる外形のタグ側接点部６２，６４は、そのような外形の導体を予め作って、タグ枠体５２に取り付けてもよいが、図３で説明した略半球状形状を押しつぶし、あるいは半田ボールのときは加熱流動させて形状を整えることで得ることもできる。
【００３１】
再び図２に戻り、本体側接点部７０は、タグ側接点部６０と接触してメモリＩＣ５４と装置本体部１２側に設けられる図示されていない制御部とを接続する機能を有する接点部材である。具体的には、装置本体部１２に固定される根元部７２と、折れ曲がりを有する先端部７４からなる金属板である。この折れ曲がりにより、先端部７４は、外力に対し適当な弾力を有する。かかる本体側接点部７０は、りん青銅等の導電性を備え、弾力のある金属板を適当な幅の細長い板に切断し、これに適当な形状の曲げ加工を施すことで得ることができる。先端部７４に金めっき等の適当な表面処理を行ってもよい。
【００３２】
図２では、説明のために、本体側接点部７０と感光体ドラム３０のフランジ４４とは離して図示してある。実際には、本体側接点部７０と感光体ドラム３０のフランジ４４とはかなり接近して配置される。その配置は、次の条件を満たすように行われる。すなわち、感光体ドラム３０が回転して本体側接点部７０とタグ側接点部６０が対向する関係になったときには、本体側接点部７０の先端部７４の折れ曲がりがタグ側接点部６０の略半球状の盛り上がりに乗り上げて接触すること、及びタグ側接点部６０が本体側接点部７０と対向していないときには、本体側接点部７０の先端部７４の折れ曲がりは、フランジ４４に接触せず、空中の自由端となることである。
【００３３】
なお、プロセスカートリッジ２０を装置本体部１２に挿入するときに、フランジ４４と本体側接点部７０との間で予期しない接触が起こることを避けるため、本体側接点部７０を適当な可動台に取り付け、可動台をプロセスカートリッジ２０の着脱にあわせフランジ４４側に対し出退自在とする構成をとることができる。この場合には、プロセスカートリッジ２０が装置本体部１２より外されているとき、本体側接点部７０は図２のようにフランジ４４から十分離れており、プロセスカートリッジ２０が装置本体部１２に挿入され、所定の位置に収まってから、本体側接点部７０がフランジ４４に接近を行い、所定の接触可能位置に落ち着く。
【００３４】
かかる構成の画像形成装置１０の作用を説明する。装置本体部１２から古いプロセスカートリッジが引き抜かれ、新しいプロセスカートリッジ２０が挿入される場合を例にとる。古いプロセスカートリッジが引き抜かれた状態においては、本体側接点部７０は空中に自由端となり、本体側接点部７０と接続されている図示されていない制御部は、接点開放を検出し、プロセスカートリッジがないことを知る。もちろんこれ以外の手段でプロセスカートリッジがないことを知るようにしてもよい。次に新しいプロセスカートリッジ２０が装置本体部１２に挿入される。このとき、上記のように必要があれば本体側接点部７０は一旦退避位置にしておくことができる。プロセスカートリッジ２０は、図示されていない装置本体部１２の案内部や位置決め部等によって、挿入方向を案内され、所定の組み込み位置まできちんと挿入され、そこで固定される。そのとき、本体側接点部７０は、プロセスカートリッジ２０のフランジ４４と所定の接触可能位置にある。
【００３５】
画像形成装置１０は、プロセスカートリッジ２０が挿入されたことを図示されていない検出手段により知ると、プロセスカートリッジ２０に対する初期化を行う。すなわち、まず本体側接点部７０からの信号をチェックし、本体側接点部７０が接点開放の状態のままであるときは、感光体ドラム３０を回転する。この回転により、フランジ４４の回転とともにメモリタグ５０が回転し、やがて略半球状の盛り上がりのタグ側接点部６０が本体側接点部７０と対向する位置に来る。そして、タグ側接点部６０の略半球状の盛り上がりに本体側接点部７０の先端部７４が乗り上げ、面接触しながら移動する。このとき、本体側接点部７０からの信号で、図示されていない制御部は接点短絡を知る。したがって、制御部は、接点短絡の間に、メモリＩＣ５４と必要な交信を行うことができる。交信は、シリアル通信によるメモリ内容の読み出し、書き込み等を行うことができ、必要があれば電力の供給等を行ってもよい。一旦接点短絡を検出すれば、初期化のためのデータ交信が完了するまで、プロセスカートリッジ２０の回転を止め、連続して接点短絡に状態を維持するようにできる。あるいは、プロセスカートリッジ２０を連続回転させ、定期的に繰り返される接点短絡のときを利用して、複数回のデータ交信を行うものとしてもよい。
【００３６】
初期化が終わると、通常の複写作業が行われる。そして、感光体ドラム３０が回転するたび、タグ側接点部６０の略半球状の盛り上がりに本体側接点部７０の先端部７４が乗り上げ、面接触しながら移動する。したがって、必要があれば、図示されていない制御部は、この接点短絡のタイミングごとに、メモリタグ５０のメモリＩＣ５４と交信できる。
【００３７】
このように、タグ側接点部６０を略半球状等の滑らかな盛り上がり形状としたので、本体側接点部７０を一般的な板ばねの折り曲げ形状として用いても、滑らかな盛り上がり形状に乗り上げつつ面接触をすることができるので、接点接触を安定させることができる。
【図面の簡単な説明】
【００３８】
【図１】本発明に係る実施の形態における画像形成装置の構成を示す図である。
【図２】本発明に係る実施の形態における感光体ドラムを示す図である。
【図３】本発明に係る実施の形態におけるメモリタグの平面図及び側面断面図である。
【図４】本発明に係る実施の形態において、メモリタグのタグ側接点形状の他の例を示す図である。
【符号の説明】
【００３９】
１０  画像形成装置、１２  装置本体部、１４  露光光学系、１６  搬送系、１８  ストッカー、２０  プロセスカートリッジ、２２  カートリッジ筐体、２４  露光部、３０  感光体ドラム、３２  帯電ローラ、３４  現像手段、３６  クリーニング手段、４０  回転軸、４２，４４  フランジ、４６  開口、５０  メモリタグ、５２  タグ枠体、５４  メモリＩＣ、５６  回路基板、５８  樹脂封止部、６０，６２，６４  タグ側接点部、７０  本体側接点部、７２  根元部、７４  先端部。
【図１】
2006058598.tif 000003
【図２】
2006058598.tif 000004
【図３】
2006058598.tif 000005
【図４】
2006058598.tif 000006